【事件の表示】
　特許第３１６１４２７号「プリンタ」の請求項１乃至３、５、６、８乃至１０に係る特許に対する特許異議の申立てについて、次のとおり決定する。
【結　論】
　訂正を認める。
　特許第３１６１４２７号の請求項１乃至３、５乃至６、８に係る特許を維持する。
【理　由】
１．手続の経緯
　本件特許第３１６１４２７号の請求項１乃至１０に係る発明についての出願は、平成１０年１０月１４日に特許出願され、平成１３年２月２３日にその特許権の設定の登録がなされ、そのうち、請求項１乃至３、５、６、８乃至１０に係る特許について、相原光政より特許異議の申し立てがなされ、取消理由通知がなされ、その指定期間内である平成１４年７月９日に訂正請求（後日取下げ）がなされ、申立人に対して審尋がなされ、申立人により平成１４年１０月２１日に回答書が提出された後、再度の取消理由通知がなされ、その指定期間内である平成１５年１月１５日に訂正請求がなされたものである。
　　　
２．訂正の適否
（１）訂正の内容
　特許権者の求めている訂正の内容は、以下のとおりである（訂正箇所にアンダーラインを付した。）。
　ａ．訂正事項ａ
　特許請求の範囲の
「【請求項１】　印刷を行う印刷部と、前記印刷部に紙を搬送する搬送部とを備えるプリンタであって、
　記録媒体から画像データを取得するデータ取得部と、
　印刷条件の細目ごとに選択肢を表示可能な表示部と、
　前記表示部に印刷条件の細目のそれぞれについて各一つの選択肢を印刷初期条件として表示させる印刷初期条件選択手段、選択肢を変更する対象となる印刷条件の細目を特定する変更対象細目選択手段、変更対象の印刷条件の細目について前記表示部に表示されている選択肢を変更する選択肢変更手段、及び印刷開始を指示する印刷開始手段を有する入力部と、
　印刷開始が指示されると、前記データ取得部の画像データと前記表示部に表示されている選択肢によって決まる印刷設定とに基づいて前記印刷部と前記搬送部とを制御する制御部と、
　を備えることを特徴とするプリンタ。
【請求項２】　前記印刷初期条件選択手段は、前記表示部に表示させる印刷条件の細目が互いに異なる複数の印刷初期条件選択キーを有することを特徴とする請求項１に記載のプリンタ。
【請求項３】　前記印刷開始手段は、前記データ取得部に前記記録媒体が接続されたときに点燈又は点滅する発光手段が設けられた印刷開始キーを有することを特徴とする請求項１又は２に記載のプリンタ。
【請求項４】　前記印刷初期条件選択手段は、前記印刷初期条件選択キーのそれぞれに、対応する印刷初期条件選択キーが押圧されるときに点燈又は点滅し、他の印刷初期条件選択キーが押圧されるときに消燈する発光手段を備えることを特徴とする請求項２又は３記載のプリンタ。
【請求項５】　前記印刷初期条件選択キーの操作面の面積は、前記印刷開始キーの操作面の面積より小さいことを特徴とする請求項３又は４に記載のプリンタ。
【請求項６】　前記選択肢変更手段は、前記表示部に表示される選択肢を変更する変更キーを有することを特徴とする請求項１〜５のいずれか一項に記載のプリンタ。
【請求項７】　前記変更キーの操作面の面積は、前記印刷初期条件選択キーの操作面の面積より小さいことを特徴とする請求項６記載のプリンタ。
【請求項８】　前記表示部は、印刷条件の細目のいずれが変更されるかを示すことを特徴とする請求項１〜７のいずれか一項に記載のプリンタ。
【請求項９】　前記入力部が、前記記録媒体に記録されたすべての写真画像の印刷を指示する第１の入力手段を備えることを特徴とする請求項１に記載のプリンタ。
【請求項１０】　前記入力部が、前記写真画像データに対応するインデックス画像の印刷を指示する第２の入力手段を備える請求項９記載のプリンタ。」
を、
　「【請求項１】　印刷を行う印刷部と、前記印刷部に紙を搬送する搬送部とを備えるプリンタであって、
　記録媒体から画像データを取得するデータ取得部と、
　印刷条件の細目ごとに選択肢を表示可能な表示部と、
　前記表示部に印刷条件の細目のそれぞれについて各一つの選択肢を印刷初期条件として
デフォルト
であって、用紙１枚につきサムネイル画像を複数印刷するように複数の印刷条件の細目における選択肢を組み合わせた印刷初期条件と、用紙１枚につき画像を１つ印刷するように複数の印刷条件の細目における選択肢を組み合わせた印刷初期条件とを少なくとも含む複数の印刷初期条件のうち選択操作に応じた１つをデフォルト表示させる印刷初期条件選択手段
　印刷開始が指示されると、前記データ取得部の画像データと前記表示部に表示されている選択肢によって決まる印刷設定とに基づいて前記印刷部と前記搬送部とを制御する制御部と、
　を備えることを特徴とするプリンタ。
【請求項２】　前記印刷初期条件選択手段は、前記表示部に表示させる印刷条件の細目が互いに異なる複数の印刷初期条件選択キーを有することを特徴とする請求項１に記載のプリンタ。
【請求項３】　前記印刷開始手段は、前記データ取得部に前記記録媒体が接続されたときに点燈又は点滅する発光手段が設けられた印刷開始キーを有することを特徴とする請求項１又は２に記載のプリンタ。
【請求項４】　前記印刷初期条件選択手段は、前記印刷初期条件選択キーのそれぞれに、対応する印刷初期条件選択キーが押圧されるときに点燈又は点滅し、他の印刷初期条件選択キーが押圧されるときに消燈する発光手段を備えることを特徴とする請求項２又は３記載のプリンタ。
【請求項５】　前記印刷初期条件選択キーの操作面の面積は、前記印刷開始キーの操作面の面積より小さいことを特徴とする請求項３又は４に記載のプリンタ。
【請求項６】　前記選択肢変更手段は、前記表示部に表示される選択肢を変更する変更キーを有することを特徴とする請求項１〜５のいずれか一項に記載のプリンタ。
【請求項７】　前記変更キーの操作面の面積は、前記印刷初期条件選択キーの操作面の面積より小さいことを特徴とする請求項６記載のプリンタ。
【請求項８】　前記表示部は、印刷条件の細目のいずれが変更されるかを示すことを特徴とする請求項１〜７のいずれか一項に記載のプリンタ。」
と訂正する。
ｂ．訂正事項ｂ      
　段落【００１０】の
「前記表示部に印刷条件の細目のそれぞれについて各一つの選択肢を印刷初期条件として表示させる印刷初期条件選択手段」を、
「前記表示部に印刷条件の細目のそれぞれについて各一つの選択肢を印刷初期条件として
デフォルト
であって、用紙１枚につきサムネイル画像を複数印刷するように複数の印刷条件の細目における選択肢を組み合わせた印刷初期条件と、用紙１枚につき画像を１つ印刷するように複数の印刷条件の細目における選択肢を組み合わせた印刷初期条件とを少なくとも含む複数の印刷初期条件のうち選択操作に応じた１つをデフォルト表示させる印刷初期条件選択手段」
ｃ．訂正事項ｃ
　段落【００１９】の
「本発明の請求項９又は１０記載のプリンタによると、写真画像、インデックス画像の印刷を簡単な操作により行うことができる。」
を削除する。
　　
（２）訂正の目的の適否、新規事項の有無及び拡張・変更の存否
　上記訂正事項ａに関連する記載として、願書に添付した明細書（以下、特許明細書という。）には、「インデックスキー５０３を押すと・・・表示部４には、図５に示すように制御用プログラムの印刷初期条件として、用紙種類セクション４０２にフォトプリント紙、用紙サイズセクション４０３にはがき、レイアウトセクション４０４にインデックス、画質セクション４０８に高速及び写真選択セクション４０６にメモリカードから読み出した画像データの総数が表示され、枚数セクション４０７に印刷枚数として１が表示される。・・・点滅しているプリント開始キー５０１を押すとメモリカードに記録されたサムネイル画像データを読み出し、表示部４の表示にしたがって図６に示すように、はがきサイズの用紙１枚につき縦４列横４列に１６コマの画像を識別コード１０２付きのインデックスとして印刷する。・・・１コマキー５０４を押すと・・・表示部４には、図７に示すように制御用プログラムの印刷初期条件として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン及び写真選択セクション４０６と枚数セクション４０７に１が表示される。」（段落【００５３】〜【００５５】参照）と記載され、図面には、用紙１枚につきサムネイル画像を複数印刷するように複数の印刷条件の細目における選択肢を組み合わせた印刷初期条件をデフォルト表示させる表示部（図５）と、用紙１枚に付き画像を１つ印刷するように複数の印刷条件の細目における選択肢を組み合わせた印刷初期条件をデフォルト表示させる表示部（図７）が記載されている。
　してみると、上記訂正事項ａは、特許明細書又は図面に記載されていた範囲内で、特許請求の範囲の請求項１において、印刷初期条件選択手段が選択する印刷初期条件の内容を限定すると共に、請求項８及び９を削除したものである。
　ゆえに、上記訂正事項ａは、特許請求の範囲の減縮を目的とするものである。
　また、上記訂正事項ｂ及びｃは、上記訂正事項ａ伴い、特許請求の範囲の記載と発明の詳細な説明の記載との整合を図るため、発明の詳細な説明の記載を訂正したものであるから、明りょうでない記載の釈明を目的とするものである。
　さらに、上記訂正事項ａ乃至ｃは、実質的に特許請求の範囲を拡張変更するものでない。
　　
（３）独立特許要件
　特許請求の範囲に係る上記訂正事項ａには、特許異議の申し立てがされていない請求項４及び７についての訂正を含んでいる（訂正前と同様に訂正後においても請求項１を引用してその特定事項の全てを自己の特定事項としている請求項４及び７は、請求項１についての訂正があれば必然的に訂正を伴うことになるから）が、当該訂正に係る訂正後の請求項４及び７に係る発明は、請求項１に係る発明が、後述するように、特許を受けることができる発明と認められるから、特許出願の際独立して特許を受けることができるものである。
　　　
（４）むすび
　以上のとおりであるから、上記訂正は、特許法第１２０条の４第２項及び同条第３項において準用する特許法第１２６条第２項、３項の規定に適合するので、当該訂正を認める。
　　　　
３．特許異議申し立てについての判断
（１）申立の理由の概要
  特許異議申立人相原光政は、甲第１号証（特開平９−２００３９２号公報）、甲第２号証（特開平８−１２３８０８号公報）及び甲第３号証（特開平６−８５３７号公報）を提出し、本件請求項１、２、５、６、８乃至１０に係る発明は、これらに記載された発明から当業者が容易に発明をすることができたものであるから、本件請求項１、２、５、６、８乃至１０に係る発明の特許は、特許法第２９条第２項の規定に違反してされたものである旨の主張（主張Ａ）をすると共に、平成１２年１月２８日付の手続補正の補正事項である、本件請求項３における「データ取得部に記録媒体が接続されたとき点燈する発光手段が設けられた印刷開始キー」という事項は、出願当初の明細書又は図面に記載した事項の範囲内の事項でないから、本件請求項３に係る発明及びこれを引用して当該事項を特定事項としている請求項５に係る発明それぞれの特許は、特許法第１７条の２第３項に規定する要件を満たしていない補正をした特許出願に対してされたものである旨の主張（主張Ｂ）をしている。
　　　
（２）本件発明
　本件請求項１、２、３、５、６、８に係る発明（以下、「本件発明１、２、３、５、６、８」という。）は、上記訂正によって訂正された明細書の特許請求の範囲の請求項１、２、３、５、６、８に記載された事項により特定されるとおりのものである（上記訂正事項ａ参照。）。       
　　　　
（３）主張Ａについての判断
　ア．刊行物に記載された発明
　当審で通知した取消理由に引用した刊行物１乃至３には、本件発明１、２、３、５、６、８に関連する事項として、以下のような事項が記載されている。
　ａ．引用刊行物１：特開平９−２００３９２号公報（＝上記甲第１号証）
  画像形成を行う画像形成部と前記画像形成部に紙を搬送する搬送部とを備える画像形成装置であって、記録媒体から画像データを取得するデータ取得部と、出力形態の細目毎に選択肢を表示可能であると共に、当該選択肢を変更する手段及び出力開始を指示する手段を有する操作パネルと、出力開始が指示されると、前記データ取得部の画像データと前記操作パネルに表示されている選択肢によって、決まる出力形態の設定に基づいて前記画像形成部と前記搬送部とを制御する制御部と、を備える画像形成装置が図面とともに記載されている。
　ｂ．引用刊行物２：特開平８−１２３８０８号公報（＝上記甲第２号証）
　文書データやイメージデータを印字する印字機構と前記印字機構部に用紙を搬送する搬送部とを備える文書処理装置であって、記憶媒体から文書データやイメージデータを取得するデータ取得部と、印字形態の細目毎に選択肢を表示可能な表示部と、前記表示部に印字形態の細目のそれぞれについて、各１つの選択肢を印字形態の初期条件としてデフォルト表示させる手段、選択肢を変更する対象となる印字形態の細目を特定する手段、変更対象の細目について前記表示部に表示されている選択肢を変更する手段、及び印字開始を指示する手段を有する入力部と、印字開始が指示されると、前記データ取得部の文書データやイメージデータと前記表示部に表示されている選択肢によって決まる印字形態の設定とに基づいて、前記印字機構部と前記搬送部とを制御する制御部と、を備える文書処理装置が図面とともに記載されている。
　ｃ．引用刊行物３：特開平６−８５３７号公報（＝上記甲第３号証）
　プリントを行う印画装置を備えるプリンタシステムであって、記録媒体から画像データを取得するデータ取得部と、プリント条件の細目を表示可能な表示部と、記録紙１枚につき縮小画像を複数印刷するインデックスプリントを設定する手段、記録紙１枚につき画像を１つプリントするプリントを設定する手段、前記表示部にプリント条件の細目をプリント初期条件としてデフォルト表示させる手段、前記表示部に表示されているプリント条件の細目を変更する手段及びプリント開始を指示する手段を有する入力部と、プリント開始が指示されると、前記データ取得部の画像データと設定されたプリント形態とプリント条件に基づいて、印画装置とを制御する制御部と、を備えるプリンタシステムが図面とともに記載されている。
　また、申立人が平成１４年１０月２１日付の回答書で提出した参考資料１及び２の刊行物には、本件発明１、２、３、５、６、８に関連する事項として、以下のような事項が記載されている。
　ｄ．参考資料１：特開平１−１７８９７５号公報
　複写を行う複写部と、前記複写部に用紙を搬送する搬送部とを備える複写機であって、画像データを取得するデータ取得部と、複写条件の細目毎に選択肢を表示可能であると共に、当該選択肢を変更する手段及び出力開始を指示する手段を有する操作パネルと、出力開始が指示されると、前記データ取得部の画像データと前記操作パネルに表示されている選択肢によって、決まる複写条件設定に基づいて前記複写部と前記搬送部とを制御する制御部と、を備える複写装置が図面とともに記載されている。
　ｅ．参考資料２：再公表公報ＷＯ／９６／２７２５８号公報
　画像データ印刷装置において、用紙１枚につきインデックス画像を複数印刷することが記載されている。　
　イ．対比判断
　本件発明１と上記刊行物１乃至３及び参考資料１，２に記載された発明とを対比すると、上記刊行物１乃至３及び参考資料１，２のいずれにも、本件発明の特定事項である
『表示部に印刷条件の細目のそれぞれについて各一つの選択肢を印刷初期条件としてデフォルト表示させる印刷初期条件選択手段であって、用紙１枚につきサムネイル画像を複数印刷するように複数の印刷条件の細目における選択肢を組み合わせた印刷初期条件と、用紙１枚につき画像を１つ印刷するように複数の印刷条件の細目における選択肢を組み合わせた印刷初期条件とを少なくとも含む複数の印刷初期条件のうち選択操作に応じた１つをデフォルト表示させる印刷初期条件選択手段』
について、記載も示唆もされていない。
　敷衍すると、上記刊行物１及び２には、表示部に用紙１枚につき画像を１つ印刷するように複数の印刷条件の細目における選択肢を組み合わせた１つの印刷初期条件をデフォルト表示させる手段を備える点については記載されていると認められるものの、上記刊行物１乃至３及び参考資料１，２のいずれにも、複数の印刷条件の細目における選択肢を組み合わせた印刷初期条件を複数備えると共に、そのうちの１つを選択操作に応じてデフォルト表示させる手段を備える点についても何も記載されていなく、また、示唆もされていない。
　しかも、上記刊行物３及び参考資料２には、用紙１枚につきインデックス画像を複数印刷するようにすることが記載されているが、用紙１枚につきサムネイル画像を複数印刷するように複数の印刷条件の細目における選択肢を組み合わせた印刷初期条件をデフォルト表示させる手段を備える点については、上記各刊行物１乃至３及び参考資料１，２のいずれにも記載されていなく、また、示唆もされていない
　また、上記『』内の技術的事項は、当該技術分野で周知の事項であるともいえない。
　そして、本件発明１は、当該技術的事項を特定事項にすることにより、明細書に記載された「プリンタ単体で印刷条件を設定することができる。印刷設定に対応する選択肢を表示する表示部を備えるため、印刷条件を確認しながら設定することができる。さらに、印刷初期条件選択手段によって、予め複数の印刷条件の細目における選択肢が組み合わされた所定の印刷初期条件から所望の印刷初期条件を選択して設定することができる。」という上記刊行物１乃至３及び参考資料１，２に記載されていない作用効果を奏するものである。
　したがって、本件発明１は、上記刊行物１乃至３及び参考資料１，２に記載されたものから、当業者が容易に発明をすることができたものとすることができない。　
　また、本件発明２、５、６、８は、いずれも、本件発明１を技術的に限定したものであるから、本件発明１の上記判断と同様に、上記刊行物１乃至３及び参考資料１，２に記載されたものから、当業者が容易に発明をすることができたものとすることができない。　　　
　ゆえに、申立人の上記主張Ａは採用することができない。
　　　
（４）主張Ｂについての判断
　本件の出願当初の明細書には、「印刷開始手段は、データ取得部において電子データが取得されたときに点燈または点滅する発光手段を有する」（【請求項５】参照）、「電源スイッチ９１をオンにした後、カードスロット７１に画像データを記録したメモリカードを挿入すると、プリント開始キー５０１が点滅し、」（段落【００５１】参照）、「カードスロット７１にメモリカードを挿入した後、点滅しているプリント開始キー５０１」（【００５２】参照）、「カードスロット７１にメモリカードを挿入しインデックスキー５０３を押した後、点滅しているプリント開始キー５０１」（段落【００５４】参照）及び「電源をオンにしてメモリカードをカードスロット７１に挿入すると、プリント開始キー５０１が点滅し」（段落【００７１】参照）と記載されている。
　上記記載から、印刷開始手段はプリント開始キー５０１を有すること、プリント開始キーには、データ取得部において電子データが取得されたときに点燈する発光手段が設けられたものが含まれること、データ取得部において電子データが取得されたときの態様には、カードスロット７１にメモリカードを挿入したときが含まれることが明らかであるから、印刷開始手段には、カードスロットにメモリカードを挿入したとき点燈する発光手段が設けられたプリント開始キーを有するものも含むこと明らかである。
　また、一般に、プリンタ等の機器のカードスロットにメモリカードを挿入することは、プリンタ等の機器のデータ取得部に記録媒体を接続することを意味すること、また、本件の出願当初の明細書に、カードスロット７１にメモリカードを挿入した後、さらに、データ取得部にメモリカードを接続する動作を行うことが記載されていないことからみて、本件の出願当初の明細書では、カードスロット７１にメモリカードを挿入することは、データ取得部にメモリカードすなわち記録媒体が接続されることを意味することも明らかである。
　してみると、平成１２年１月２８日付の手続補正の補正事項である、請求項３における「データ取得部に記録媒体が接続されたとき点燈する発光手段が設けられた印刷開始キー」という事項は、出願当初の明細書又は図面の記載の範囲内の事項といえる。
　したがって、申立人の上記主張Ｂも採用することができない。
　　
（５）むすび
　以上のとおりであるから、特許異議申し立ての理由及び証拠方法によっては、本件請求項１、２、３、５、６、８に係る発明についての係る特許を取り消すことができない。
　また、他に本件請求項１、２、３、５、６、８に係る発明についての特許を取り消すべき理由を発見しない。
　よって、結論のとおり決定する。　
【異議決定日】
平成１５年５月２７日（２００３．５．２７）
【訂正の要旨】
ａ．本件明細書の請求項１に「前記表示部に印刷条件の細目のそれぞれについて各一つの選択肢を印刷初期条件として表示させる印刷初期条件選択手段」とあるのを、特許請求の範囲の減縮を目的として、「前記表示部に印刷条件の細目のそれぞれについて各一つの選択肢を印刷初期条件としてデフォルト表示させる印刷初期条件選択手段であって、少なくとも、用紙１枚につきサムネイル画像を複数印刷するように複数の印刷条件の細目における選択肢を組み合わせた印刷初期条件と、用紙１枚につき画像を１つ印刷するように複数の印刷条件の細目における選択肢を組み合わせた印刷初期条件とを含む複数の印刷初期条件のうち選択操作に応じた１つをデフォルト表示させる印刷初期条件選択手段」と訂正する。
ｂ．本件明細書の請求項９を、特許請求の範囲の減縮を目的として削除する。
ｃ．本件明細書の請求項１０を、特許請求の範囲の減縮を目的として削除する。
ｄ．本件明細書の段落００１０に「前記表示部に印刷条件の細目のそれぞれについて各一つの選択肢を印刷初期条件として表示させる印刷初期条件選択手段」とあるのを、明りょうでない記載の釈明を目的として、「前記表示部に印刷条件の細目のそれぞれについて各一つの選択肢を印刷初期条件としてデフォルト表示させる印刷初期条件選択手段であって、少なくとも、用紙１枚につきサムネイル画像を複数印刷するように複数の印刷条件の細目における選択肢を組み合わせた印刷初期条件と、用紙１枚につき画像を１つ印刷するように複数の印刷条件の細目における選択肢を組み合わせた印刷初期条件とを含む複数の印刷初期条件のうち選択操作に応じた１つをデフォルト表示させる印刷初期条件選択手段」と訂正する。
ｅ．本件明細書の段落００１９に「本発明の請求項９又は１０記載のプリンタによると、写真画像、インデックス画像の印刷を簡単な操作により行うことができる。」とあるのを、明りょうでない記載の釈明を目的として削除する。
（５４）【発明の名称】
プリンタ
（５７）【特許請求の範囲】
　【請求項１】　印刷を行う印刷部と、前記印刷部に紙を搬送する搬送部とを備えるプリンタであって、
　記録媒体から画像データを取得するデータ取得部と、
　印刷条件の細目ごとに選択肢を表示可能な表示部と、
　前記表示部に印刷条件の細目のそれぞれについて各一つの選択肢を印刷初期条件として
デフォルト
であって、用紙１枚につきサムネイル画像を複数印刷するように複数の印刷条件の細目における選択肢を組み合わせた印刷初期条件と、用紙１枚につき画像を１つ印刷するように複数の印刷条件の細目における選択肢を組み合わせた印刷初期条件とを少なくとも含む複数の印刷初期条件のうち選択操作に応じた１つをデフォルト表示させる印刷初期条件選択手段
　印刷開始が指示されると、前記データ取得部の画像データと前記表示部に表示されている選択肢によって決まる印刷設定とに基づいて前記印刷部と前記搬送部とを制御する制御部と、
　を備えることを特徴とするプリンタ。
　【請求項２】　前記印刷初期条件選択手段は、前記表示部に表示させる印刷条件の細目が互いに異なる複数の印刷初期条件選択キーを有することを特徴とする請求項１に記載のプリンタ。
　【請求項３】　前記印刷開始手段は、前記データ取得部に前記記録媒体が接続されたときに点燈又は点滅する発光手段が設けられた印刷開始キーを有することを特徴とする請求項１又は２に記載のプリンタ。
　【請求項４】　前記印刷初期条件選択手段は、前記印刷初期条件選択キーのそれぞれに、対応する印刷初期条件選択キーが押圧されるときに点燈又は点滅し、他の印刷初期条件選択キーが押圧されるときに消燈する発光手段を備えることを特徴とする請求項２又は３記載のプリンタ。
　【請求項５】　前記印刷初期条件選択キーの操作面の面積は、前記印刷開始キーの操作面の面積より小さいことを特徴とする請求項３又は４に記載のプリンタ。
　【請求項６】　前記選択肢変更手段は、前記表示部に表示される選択肢を変更する変更キーを有することを特徴とする請求項１〜５のいずれか一項に記載のプリンタ。
　【請求項７】　前記変更キーの操作面の面積は、前記印刷初期条件選択キーの操作面の面積より小さいことを特徴とする請求項６記載のプリンタ。
　【請求項８】　前記表示部は、印刷条件の細目のいずれが変更されるかを示すことを特徴とする請求項１〜７のいずれか一項に記載のプリンタ。
【発明の詳細な説明】
　【０００１】
　【発明の属する技術分野】
　本発明は、プリンタに関し、特に単体で印刷条件を設定することが可能なプリンタに関する。
　【０００２】
　【従来の技術】
　一般に、電子データをプリンタによって印刷する場合、プリンタに接続するパソコンによって印刷条件を設定し、プリンタ単体で印刷条件を設定することはできない。
　【０００３】
　近年、デジタルカメラの普及に伴い、デジタルカメラによって画像を記録したメモリカード等の記録媒体を読み取ってテレビ画面上に画像を映し出すとともに、紙面に印刷することが可能なプリンタが市場に供給されている。このようなプリンタによると、テレビ画面上でデジタルカメラによって記録した画像について印刷条件を設定することができる。
　【０００４】
　【発明が解決しようとする課題】
　しかし、パソコンに接続しなければ印刷条件を設定することができないプリンタにおいては、パソコンの取り扱いに不慣れなユーザにとってデジタルカメラ等によって記録した画像を紙面上に印刷することは困難であるという問題があった。
　【０００５】
　また、記録した画像をテレビ画面に映し出して印刷条件を設定するプリンタによると、テレビに接続しなければ印刷条件を設定することができず、デジタルカメラによって記録した画像を印刷するのに手間がかかるという問題があった。
　【０００６】
　本発明は、上記の問題を解決するために案出されたものであり、デジタルカメラ等によって記録した画像について、印刷条件を単体で設定して印刷できるプリンタを提供することを目的とする。
　【０００７】
　本発明の別の目的は、パソコンの取り扱いに不慣れなユーザがデジタルカメラ等によって記録した画像を容易に印刷できるプリンタを提供することにある。
　【０００８】
　本発明のまた別の目的は、デジタルカメラ等によって記録した画像を印刷するのに手間のかからないプリンタを提供することにある。
　【０００９】
　本発明のまた別の目的は、操作の容易なプリンタを提供することにある。
　【００１０】
　【課題を解決するための手段】
　本発明の請求項１記載のプリンタによると、印刷を行う印刷部と、印刷部に紙を搬送する搬送部と、記録媒体から画像データを取得するデータ取得部と、印刷条件の細目ごとに選択肢を表示可能な表示部と、表示部に印刷条件の細目のそれぞれについて各一つの選択肢を印刷初期条件として
デフォルト
であって、用紙１枚につきサムネイル画像を複数印刷するように複数の印刷条件の細目における選択肢を組み合わせた印刷初期条件と、用紙１枚につき画像を１つ印刷するように複数の印刷条件の細目における選択肢を組み合わせた印刷初期条件とを少なくとも含む複数の印刷初期条件のうち選択操作に応じた１つをデフォルト表示させる印刷初期条件選択手段
　【００１１】
　また、印刷設定に対応する選択肢を表示する表示部を備えるため、印刷条件を確認しながら設定することができる。さらに、印刷初期条件選択手段によって、予め複数の印刷条件の細目における選択肢が組み合わされた所定の印刷初期条件から所望の印刷初期条件を選択して設定することができる。
　【００１２】
　本発明の請求項２記載のプリンタによると、印刷初期条件選択手段は、表示部に表示させる印刷条件の細目が互いに異なる複数の印刷初期条件選択キーを有する。
　【００１３】
　本発明の請求項３記載のプリンタによると、印刷開始手段は、データ取得部に記録媒体が接続されたときに点燈又は点滅する発光手段が設けられた印刷開始キーを有するため、電子機器の取り扱いに不慣れなユーザが容易に印刷することができる。
　【００１４】
　【００１５】
　本発明の請求項４記載のプリンタによると、印刷初期条件選択手段は、印刷初期条件選択キーのそれぞれに、対応する印刷初期条件選択キーが押圧されるときに点燈又は点滅し、他の印刷初期条件選択キーが押圧されるときに消燈する発光手段を備えるため、ユーザが印刷条件を確認しながら印刷条件を設定することができる。
　【００１６】
　本発明の請求項５記載のプリンタによると、印刷初期条件選択キーの操作面の面積は、印刷開始キーの操作面の面積より小さいため、容易に印刷条件を設定することができる。
　【００１７】
　本発明の請求項６記載のプリンタによると、選択肢変更手段は、表示部に表示される選択肢を変更する変更キーを有するため、キー操作によって詳細な印刷条件の設定をすることができる。すなわち、複数の印刷条件の細目における選択肢を予め組み合わせた印刷初期条件の細目についての選択肢を変更することによって、任意の印刷条件を設定することができる。
　【００１８】
　【００１９】
　本発明の請求項７記載のプリンタによると、変更キーの操作面の面積は、印刷初期条件選択キーの操作面の面積より小さいため、容易に印刷条件を設定することができる。本発明の請求項８記載のプリンタによると、表示部は、印刷条件の細目のいずれが変更されるかを示す。
　【００２０】
　【発明の実施の形態】
　以下、本発明の実施の形態を示す一実施例を図面に基づき詳細に説明する。
　【００２１】
　本発明の一実施例によるプリンタは、図１に示すように、搬送部１と、印刷部２と、制御部３と、表示部４と、入力部５と、ガイド部６と、第１データ取得部７と、第２データ取得部８とを有する。搬送部１と、印刷部２と、制御部３と、表示部４と、入力部５と、ガイド部６と、第１データ取得部７と、第２データ取得部８とは箱型のハウジング９に備えられる。本実施例によるプリンタは、第１データ取得部７又は第２データ取得部８から取得した電子データを制御部３によって駆動される印刷部２において印刷することが可能である。
　【００２２】
　ハウジング９は、図２に示すように、上面に表示部４及び入力部５を備え、前面に第１データ取得部７と電源スイッチ９１とインク切れや用紙切れを知らせる警告ランプ９２とガイド部６とを備え、背面に図示しない第２データ取得部８を備え、内部に図示しない搬送部１と、印刷部２と、制御部３とを備える。ハウジング９の上面と前面下部には、それぞれ用紙供給口９３と用紙排出口９４とが形成される。用紙供給口９３には用紙トレー９５が、用紙排出口９４には用紙受け９６がそれぞれ取り外し可能に係止される。
　【００２３】
　図示しない搬送部１は、用紙供給口９３と用紙排出口９４の間のハウジング９内部に備えられ、モータにより駆動される搬送ローラと、搬送ローラに接触して摩擦により用紙を搬送する従動ローラとを有する。搬送ローラと従動ローラとは、ゴムなどの滑りにくい材料からなる。搬送部１は、搬送ローラと従動ローラが回転することにより、用紙供給口９３から用紙排出口９４に用紙を搬送する機構である。
　【００２４】
　図示しない印刷部２は、搬送部１に隣接して備えられ、インクタンクとインクジェットヘッドを搭載したキャリッジと、ステップモータと、用紙の搬送される方向と直行する方向に備えられるキャリッジレールとを有する。印刷部２は、公知のインクジェット方式により印刷を行う。詳しくは、用紙と対向する位置でステップモータにより駆動されるキャリッジがキャリッジレール上を往復移動し、搬送部１によって搬送される用紙にインクジェットヘッドからインクタンク内のインクを噴射して印刷を行う。なお、印刷部２としてレーザ方式やドットインパクト方式等を用いることも可能である。
　【００２５】
　図示しない制御部３は、ＣＰＵと、制御用プログラム及び後述するフィルタ加工用プログラムが記録されたＲＯＭと、電子データを一時的に保存するメモリとを有する。制御部３は、第１データ取得部７又は第２データ取得部８から取得した電子データから種々の情報を取り出して表示部４に表示し又はガイド部６を駆動してユーザインターフェースを提供し、並びに入力部５の入力を判断し、並びに印刷部２で印刷を行うための制御を行う。
　【００２６】
　入力部５はハウジング９上面に備えられ、図３に示すように、キーパネル５０上に種々のキーを有する。
　【００２７】
　印刷開始キーとしてのプリント開始キー５０１は、キーパネル５０の最も手前すなわち第１データ取得部７に近い側に備えられ、すべてのキーの中で最も大きく目立つ外観を有し、操作面は透明の材料からなり操作面の内側に発光手段としての図示しないＬＥＤ（ｌｉｇｈｔ　ｅｍｉｔｔｅｄ　ｄｉｏｄｅ）が備えられる。このＬＥＤは、印刷開始が可能な状態で点滅するように制御される。プリント開始キー５０１は、押圧されることによって、表示部４に表示される印刷設定に対応する印刷設定信号を制御部に伝送する。プリント開始キー５０１に備えられるＬＥＤが点滅しているときにプリント開始キー５０１が押圧されると、印刷が開始される。
　【００２８】
　印刷初期条件選択キーとしての全印刷キー５０２とインデックスキー５０３とは、キーパネル５０の最も手前にプリント開始キー５０１と並んで備えられ、全てのキーの中でプリント開始キー５０１に次いで大きく、角の丸まった長方形の形状を有し、操作面は透明の材料からなりそれぞれの操作面の内側に発光手段としての図示しないＬＥＤが備えられる。
　【００２９】
　印刷初期条件選択キーとしての範囲指定キー５０５と１コマキー５０４とは、全印刷キー５０２とインデックスキー５０３の奥に並んで備えられ、それらに比べて一回り小さい楕円形状を有し、操作面は透明の材料からなりそれぞれの操作面の内側に発光手段としてのＬＥＤが備えられる。
　【００３０】
　全印刷キー５０２、インデックスキー５０３、範囲指定キー５０５及び１コマキー５０４は、そのうちのいずれか１つを選択できるキーであって、選択されているキーのＬＥＤが発光する。
　【００３１】
　変更対象細目選択手段としての上キー５０６と下キー５０７とは、１コマキー５０４の奥すなわち表示部４に近い側に縦に並んで備えられ、それぞれ線対称な三角形状を有する。
　【００３２】
　変更キーとしての右キー５０９と左キー５０８とは、上キー５０６と下キー５０７に隣接してプリント開始キー５０１の奥に横に並んで備えられ、範囲指定キー５０５や１コマキー５０４より小さく、それぞれ線対称な三角形状を有する。右キー５０９と左キー５０８とは、表示部４の各セクションにおける印刷条件の細目を変更する。
　【００３３】
　フレームキー５１０とフィルタキー５１１とは、プリント開始キー５０１の奥で右キー５０９と左キー５０８の手前に備えられ、全てのキーの中で最も小さく目立たない外観を有する。
　【００３４】
　表示部４は、ハウジング９上面に入力部５の奥に隣接して備えられる。表示部４は、セグメント式の液晶パネルで、選択セクション４０１、及び印刷条件の細目を表示する用紙種類セクション４０２、用紙サイズセクション４０３、レイアウトセクション４０４、写真サイズセクション４０５、写真選択セクション４０６、枚数セクション４０７、画質セクション４０８並びに自動調整セクション４０９に分かれている。液晶パネルの全セグメントを点燈させた状態を図３に示す。表示部４で選択される表示内容に対応する印刷条件は、プリント開始キー５０１が押圧されることによって制御部３の印刷設定とリンクする。
　【００３５】
　選択セクション４０１は、上キー５０６と下キー５０７によって、他のセクションを選択的に指し示す三角形を表示し、そのセクションをアクティブにするセクションである。アクティブなセクションでは、右キー５０９と左キー５０８によって印刷条件の細目における選択肢の表示を切り替えることが可能である。
　【００３６】
　用紙種類セクション４０２は、印刷条件の細目における選択肢として、普通紙、フォトプリント紙及びスーパーファイン紙を表示するセクションである。
　【００３７】
　用紙サイズセクション４０３は、印刷条件の細目における選択肢として、はがき、フォトカード及びＡ４を表示するセクションである。
　【００３８】
　レイアウトセクション４０４は、印刷条件の細目における選択肢として、上寄り、下寄り、中央、全体、インデックス及び切り取りガイド付き等を表示するセクションである。ガイド付きが選択されると、画像にトンボを付して印刷することが可能である。
　【００３９】
　写真サイズセクション４０５は、印刷条件の細目における選択肢として、４Ｌ、２Ｌ、４×６、Ｌ、Ｅ及びカードを表示するセクションである。写真サイズセクション４０５の表示は、用紙サイズとレイアウトの設定によって決定される。
　【００４０】
　写真選択セクション４０６は、印刷条件の細目における選択肢として、主に印刷指定画像の識別コードの０から１９９までの数字を表示するセクションである。
　【００４１】
　枚数セクション４０７は、印刷条件の細目における選択肢として、主に印刷枚数として０から１９９までの数字を表示するセクションである。
　【００４２】
　画質セクション４０８は、印刷条件の細目における選択肢として、高画質、高速、超高画質を表示するセクションである。
　【００４３】
　自動調整セクション４０９は、印刷条件の細目における選択肢として、オートフォトファインとなしを表示するセクションである。オートフォトファインが選択されると、写真画像が自動画質調整されて印刷される。
　【００４４】
　ガイド部６は、ハウジング９前面下方に備えられる。ガイド部６は制御部３によって駆動されるスピーカ６１を有し、ＲＯＭから読み出す音声データを音声として出力する。
　【００４５】
　第１データ取得部７は、図２に示すようにハウジング９前面上方に備えられ、カードスロット７１と、記録媒体に記録された電子データを読み出して制御部３に伝送する図示しないリーダとを有する。カードスロット７１には、記録媒体としてＰＣＭＣＩＡ規格のメモリカード、又は一般にデジタルカメラに用いられているコンパクトフラッシュカード等の記録媒体をアダプタとともに挿入することができる。
　【００４６】
　図示しない第２データ取得部８は、ハウジング９背面に備えられ複数のコネクタを有する。第２データ取得部８は、パソコン或いはデジタルカメラと接続するときのインターフェースであり、それらの外部接続機器から取り出した電子データを制御部３に伝送する。
　【００４７】
　また、プリンタの付属品として画像に多種のフレームを付けて印刷するためのプログラムを記録したメモリカードが添付されている。また、このプログラムを制御部３のＲＯＭに記録することによって、メモリカードでこのプログラムを提供するのと同様に後述の特殊効果プリントを実行することができる。
　【００４８】
　以下、上述のプリンタの作動について説明する。プリンタの印刷は、説明上、通常プリント、ワンタッチプリント、ツータッチプリント、焼き増しプリント、カメラ指定プリント、詳細設定プリント及び特殊効果プリントに区分される。
　【００４９】
　電源スイッチ９１をオンにすると、制御用プログラムが立ち上がり、ガイド部６から「カードを挿入してください。」等の画像データを記録した記録媒体（以下メモリカード）の挿入を促す音声を発する。
　【００５０】
　（１）通常プリント
　制御部３は第１データ取得部７と第２データ取得部８の両方の電子データを監視しており、最先の電子データを優先的に処理する。このため、第２データ取得部８にケーブルでパソコンが接続されてパソコンから印刷指示があると、表示部４の表示は消え、以降パソコンの制御によってプリンタは駆動される。
　【００５１】
　（２）ワンタッチプリント
　電源スイッチ９１をオンにした後、カードスロット７１に画像データを記録したメモリカードを挿入すると、プリント開始キー５０１が点滅し、全印刷キー５０２が点燈する。表示部４には、図４に示すように制御用プログラムの印刷初期条件として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン及び写真選択セクション４０６にメモリカードから読み出した画像データの総数が表示され、枚数セクション４０７に印刷枚数として１枚が表示される。
　【００５２】
　カードスロット７１にメモリカードを挿入した後、点滅しているプリント開始キー５０１を押すと表示部４の表示にしたがってメモリカードに記録された画像データがすべて１枚ずつ印刷される。このようにして印刷することを以後ワンタッチプリントとする。
　【００５３】
　（３）ツータッチプリント
　カードスロット７１にメモリカードを挿入した後、インデックスキー５０３を押すと全印刷キー５０２が消え、インデックスキー５０３が点燈する。そして表示部４には、図５に示すように制御用プログラムの印刷初期条件として、用紙種類セクション４０２にフォトプリント紙、用紙サイズセクション４０３にはがき、レイアウトセクション４０４にインデックス、画質セクション４０８に高速及び写真選択セクション４０６にメモリカードから読み出した画像データの総数が表示され、枚数セクション４０７に印刷枚数として１が表示される。
　【００５４】
　カードスロット７１にメモリカードを挿入しインデックスキー５０３を押した後、点滅しているプリント開始キー５０１を押すとメモリカードに記録されたサムネイル画像データを読み出し、表示部４の表示にしたがって図６に示すように、はがきサイズの用紙１枚につき縦４列横４列に１６コマの画像を識別コード１０２付きのインデックスとして印刷する。サムネイル画像データを読み出して印刷するため印刷スピードは非常に高速である。このようにして印刷することを以後ツータッチプリントという。
　【００５５】
　（４）焼き増しプリント
　ツータッチプリントによってインデックスを印刷した後、１コマキー５０４を押すとインデックスキー５０３が消え、１コマキー５０４が点燈する。そして表示部４には、図７に示すように制御用プログラムの印刷初期条件として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン及び写真選択セクション４０６と枚数セクション４０７に１が表示される。このとき、写真選択セクション４０６がアクティブである。次に、右キー５０９又は左キー５０８を操作してインデックスに印刷された画像のうち印刷したい画像の識別コードを写真選択セクション４０６で指定する。点滅しているプリント開始キー５０１を押すと、指定した識別コードの画像が表示部４に表示された設定によって印刷される。
　【００５６】
　また、ツータッチプリントによってインデックスを印刷した後、範囲指定キー５０５を押すとインデックスキー５０３が消え、範囲指定キー５０５が点燈する。そして表示部４には、図８に示すように制御用プログラムの印刷初期条件として、用紙種類セクション４０２にフォトプリント紙、用紙サイズセクション４０３にはがき、レイアウトセクション４０４に全体、写真サイズセクション４０５にＬ、画質セクション４０８に高画質、自動調整セクション４０９にオートフォトファイン及び写真選択セクション４０６に最初のコマとして１が表示され、枚数セクション４０７に最後のコマとしてメモリカードから読み出した画像データの総数が表示される。このとき、写真選択セクション４０６がアクティブである。
　【００５７】
　次に、写真選択セクション４０６で右キー５０９又は左キー５０８を操作してインデックスに印刷された画像のうち印刷したい範囲の最初の番号を指定する。さらに下キー５０７を操作して枚数セクション４０７をアクティブにし、右キー５０９又は左キー５０８を操作してインデックスに印刷された画像のうち印刷したい範囲の最後の番号を指定する。点滅しているプリント開始キー５０１を押すと、指定した範囲の画像が表示部４に表示された設定によって印刷される。
　【００５８】
　ツータッチプリントによってインデックスを印刷した後、１コマキー５０４または範囲指定キー５０５を押して印刷することを以後焼き増しプリントという。
　【００５９】
　（５）カメラ指定プリント
　電源スイッチ９１をオンにした後、プリンタに対応する機種のデジタルカメラによって印刷する画像が予め指定されたメモリカードをカードスロット７１に挿入すると、自動的にカメラ指定プリントに移行する。そして表示部４には、図９に示すように制御用プログラムのデフォルトの設定として、用紙種類セクション４０２にフォトプリント紙、用紙サイズセクション４０３にはがき、レイアウトセクション４０４に全体、写真サイズセクション４０５にＬ、写真選択セクション４０６にカメラ指定、画質セクション４０８に高画質及び自動調整セクション４０９にオートフォトファインが表示される。点滅しているプリント開始キー５０１を押すと、予めデジタルカメラによって指定された画像が表示部４に表示された設定によって印刷される。
　【００６０】
　（６）詳細設定プリント
　上述のワンタッチプリント、ツータッチプリント、焼き増しプリント及びカメラ指定プリントにおいて、上キー５０６または下キー５０７を操作して印刷条件を変更したいセクションを選択し、各セクションにおいて用紙種類、用紙サイズ、画質、自動調整等の設定を変更して任意の印刷条件を設定した後にプリント開始キー５０１を押して印刷することも可能である。このように、任意の印刷条件を設定した後にプリント開始キー５０１を押して印刷することを以後詳細設定プリントという。
　【００６１】
　（７）特殊効果プリント
　電源スイッチ９１をオンにした後、フレームキー５１０を押すと、ガイド部６から「フレームカードを挿入してください。」等のフレーム用のプログラムを記録したメモリカードの挿入を促す音声を発する。フレーム用のプログラムを記録したメモリカードを挿入すると、表示部４には、制御用プログラムのデフォルトの設定として、用紙サイズセクション４０３にはがき、レイアウトセクション４０４にシール、写真選択セクション４０６にメモリカードに記録されているフレーム用のプログラムの総数および枚数セクション４０７にフレーム番号として０が表示される。このとき、枚数セクション４０７がアクティブである。
　【００６２】
　次に図１０に示すように、枚数セクション４０７で右キー５０９又は左キー５０８を操作して選択したいフレーム番号を指定して、該当するフレームを設定するためのプログラムをメモリに書き込む。この後、自動的に焼き増しプリントの作動に移行し、ガイド部６から「カードを挿入してください。」等の画像データを記録したメモリカードの挿入を促す音声が発せられる。メモリに書き込まれたプログラムによって焼き増しプリントで指定された画像データが加工されてフレーム１００が付けられ、図１１に示すように、表示された設定によってはがきサイズの専用シール紙１０１に印刷される。
　【００６３】
　電源スイッチ９１をオンにした後、フィルタキー５１１を押すと、表示部４には制御用プログラムのデフォルトの設定として写真選択セクション４０６にフィルタ番号として０が表示される。このとき他のセクションの表示はすべて消え、写真選択セクション４０６がアクティブである。次に図１２に示すように、写真選択セクション４０６で右キー５０９又は左キー５０８を操作して選択したいフィルタ番号を指定する。画像データをもとにして印刷される写真をモノクロにしたり、セピア色にしたりといったフィルタ加工に必要なプログラムはＲＯＭに記録されており、フィルタ番号の設定によって呼び出される。この後、自動的に焼き増しプリントの作動に移行し、ガイド部６から「カードを挿入してください。」等の画像データを記録したメモリカードの挿入を促す音声が発せられる。焼き増しプリントで指定された画像データがメモリに書き込まれたフィルタ加工用プログラムによってフィルタ加工されて印刷される。
　【００６４】
　電源スイッチ９１をオンにした後、フレームキー５１０又はフィルタキー５１１を押して印刷することを以後特殊効果プリントという。
　【００６５】
　一方、プリント開始キー５０１を押して印刷が進行中であっても次の印刷の設定をすることが可能である。例えば、焼き増しプリントにおいて、１コマ印刷キーを押して１コマずつ印刷するとき、印刷進行中に次に印刷したい写真の識別コードの指定を連続して行うことができる。このため、複数コマの焼き増しを行うときに１コマごとに印刷が終わるのを待って次に印刷する画像の識別コードの指定をする必要がなく、快適に連続印刷を実行することが可能である。
　【００６６】
　（変形例）
　本発明の一実施例によるプリンタの変形例を図１４に示す。
　【００６７】
　入力部５の端部にカバー５２０が回動可能に支持される。カバー５２０はプリント開始キー５０１に対向する位置に開口部５２１を形成する。カバー５２０を閉じるとき、プリント開始キー５０１以外のキーは操作できないように隠蔽される。カバー５２０を開けると全てのキーが操作できる。
　【００６８】
　従来の一般的なプリンタはプリンタ自体に印刷設定機能が付属しておらず、印刷の設定をするためには、パソコンに接続する必要があった。さらに、プリンタ自体に印刷設定機能が付属している場合であっても設定を確認できる表示装置が設けられていなかったため、テレビにプリンタを接続してテレビ画面上で設定を確認しながら印刷の設定をする必要があり、テレビの近くにプリンタを運び配線をしなければならないという煩わしさがあった。一方、本実施例のプリンタによると、種々の形態で印刷をするための詳細な印刷条件の設定をプリンタ単体で行うことができる。このため、パソコンの扱いに慣れていないユーザが詳細な印刷条件の設定をして印刷をすることができる。また、テレビに接続して設定をする煩わしさがなく、手軽に撮影した画像データを印刷することができる。
　【００６９】
　デジタルカメラを使用するユーザには、図１３に示すように、コンピュータやプリンタ等の電子機器の扱いに全く慣れていない初級者と、ある程度マニュアルを読んでそれらの電子機器を使いこなせる中級者と、それらの電子機器を自在に扱える上級者とが存在すると考えられる。ＡとＢはそれぞれ最も簡単なワンタッチプリントとツータッチプリントをすることができるユーザを表わす。ＣとＤはそれぞれやや操作の複雑な焼き増しプリントと詳細設定プリントをすることができるユーザを表わす。Ｅは最も操作の複雑な特殊効果プリントやパソコンに接続して印刷をすることができるユーザを表わす。
　【００７０】
　本実施例のプリンタによると、ユーザのプリンタやパソコンの操作の習熟度に応じた印刷環境を提供することができる。つまり、初級者はワンタッチプリント又はツータッチプリントの簡単な操作によって、現像所にフィルムを出して現像するのと同様にデジタルカメラに記録した画像データを家庭で即時に印刷することができる。また、中級者はインデックスを見ながら焼き増しプリントを実行したり、詳細設定プリントによって種々の形態で印刷をすることができる。さらに、上級者は、パソコンに接続してパソコン上で画像データを加工して印刷したり、特殊効果プリントによってオリジナリティーのある印刷をすることができる。
　【００７１】
　また、電源をオンにしてメモリカードをカードスロット７１に挿入すると、プリント開始キー５０１が点滅し、点滅しているプリント開始キー５０１を押圧すると、メモリカードに記録された全ての画像が１枚ずつ印刷されるため、電子機器の取り扱いに不慣れなユーザが容易に印刷することができる。さらに、変形例に示すようなカバー５２０をプリンタに取り付けた場合、プリンタの取り扱いに慣れていない初級者が過ってプリント開始キー５０１以外のキーを押すことを防止することができる。また、初級者にとっては、単一のキーだけが押せる状態にあることで安心してプリンタを取り扱うことができる。
　【００７２】
　また、使用頻度に応じてキーの大きさが変えられており、さらに、使用頻度の高いキーほど操作しやすい位置に備えられている。このため、容易に印刷条件を設定することができる。
【図面の簡単な説明】
　【図１】
　本発明の第１実施例によるプリンタを示すブロック図である。
　【図２】
　本発明の第１実施例によるプリンタを示す斜視図である。
　【図３】
　本発明の第１実施例における表示部と入力部を示す平面図である。
　【図４】
　本発明の第１実施例における表示部と入力部を示す平面図である。
　【図５】
　本発明の第１実施例における表示部と入力部を示す平面図である。
　【図６】
　本発明の第１実施例におけるインデックスを示す模式図である。
　【図７】
　本発明の第１実施例における表示部と入力部を示す平面図である。
　【図８】
　本発明の第１実施例における表示部と入力部を示す平面図である。
　【図９】
　本発明の第１実施例における表示部と入力部を示す平面図である。
　【図１０】
　本発明の第１実施例における表示部と入力部を示す平面図である。
　【図１１】
　本発明の第１実施例において印刷されたシール紙を示す模式図である。
　【図１２】
　本発明の第１実施例における表示部と入力部を示す平面図である。
　【図１３】
　本発明において、初級者、中級者及び上級者に応じた印刷環境を説明するための図である。
　【図１４】
　本発明の第１実施例の変形例において、カバーの閉じられた状態の入力部と表示部を示す平面図である。
　【符号の説明】
　１　搬送部
　２　印刷部
　３　制御部
　４　表示部
　５　入力部
　７　第１データ取得部
　５０１　プリント開始キー（印刷開始キー）
　５０２　全印刷キー（選択キー）
　５０３　インデックスキー（選択キー）
　５０５　範囲指定キー（選択キー）
　５０４　１コマキー（選択キー）
　５０８　右キー（変更キー）
　５０９　左キー（変更キー）